(57)【要約】【課題】重量物を収容した状態で、横方向及び高さ方向に積み重ねることができ、かつ、荷崩れを防止でき、さらに、必要に応じて、容器本体の連結数を容易に増減することができる荷崩れ防止用容器を提供すること。【解決手段】上部が開口し、嵌め合い状態にして相互に積み重ねることができる容器本体１と、容器本体１同士を連結する連結部材２とを備え、連結部材２を、容器本体１の対向する側壁１１間に掛け渡され、積み重ねる容器本体１の底部１２を支持する棒状体２１と、この棒状体２１に設けられ、隣接する容器本体１の側壁１１に掛合する掛止片２２とで構成する。【選択図】図１
2005212819.tif 000002
【特許請求の範囲】
【請求項１】
上部が開口し、嵌め合い状態にして相互に積み重ねることができる容器本体と、容器本体同士を連結する連結部材とを備え、前記連結部材を、容器本体の対向する側壁間に掛け渡され、積み重ねる容器本体の底部を支持する棒状体と、該棒状体に設けられ、隣接する容器本体の側壁に掛合する掛止片とで構成したことを特徴とする荷崩れ防止用容器。
【請求項２】
上部が開口し、嵌め合い状態にして相互に積み重ねることができる容器本体と、容器本体同士を連結する連結部材とを備え、前記連結部材を、隣接する容器本体の各側壁を跨いで挟着される挟着体と、該挟着体に設けられ、積み重ねる容器本体の底部を支持する支持片とで構成したことを特徴とする荷崩れ防止用容器。
【請求項３】
連結部材を容器本体に固着してなることを特徴とする請求項１又は２記載の荷崩れ防止用容器。
【請求項４】
連結部材を、容器本体の側壁に形成した切欠又は孔に嵌合するとともに、該連結部材を、積み重ねる容器本体の底部に形成した切欠又は孔に嵌合するようにしたことを特徴とする請求項１又は２、３記載の荷崩れ防止用容器。
【請求項５】
連結部材の所定位置に溝及び又は孔を形成し、突起物を嵌合したことを特徴とする請求項１、２、３又は４記載の荷崩れ防止用容器。
【請求項６】
コンクリート廃材、土砂、鉄鋼スラグ等の重量物を容器本体に収容し、カウンタウエイトとして利用することを特徴とする請求項１、２、３、４又は５記載の荷崩れ防止用容器。
【請求項７】
重量物を容器本体に収容して保管することを特徴とする請求項１、２、３、４又は５記載の荷崩れ防止用容器。
【発明の詳細な説明】
【技術分野】
【０００１】
本発明は、重量物を収容できる容器に関し、特に、重量物を収容した状態で、横方向及び高さ方向に積み重ねることができ、かつ、荷崩れを防止できる荷崩れ防止用容器に関するものである。
【背景技術】
【０００２】
従来、物品等を搬送するために種々の運搬用容器が提案され、実用化されている（例えば、特許文献１〜３参照）。
【０００３】
ところで、これらの容器は、比較的軽量な物品等を搬送することを目的とするものであり、重量物を収容した状態で、横方向及び高さ方向に積み重ねることができ、かつ、荷崩れを防止でき、さらに、必要に応じて、容器本体の連結数を容易に増減することができるものではなかった。
【特許文献１】特開２０００−３５５３７９号公報
【特許文献２】特開平１０−２１１９３６号公報
【特許文献３】特開平８−２９５３４２号公報
【発明の開示】
【発明が解決しようとする課題】
【０００４】
本発明は、従来にはない、重量物を収容した状態で、横方向及び高さ方向に積み重ねることができ、かつ、荷崩れを防止でき、さらに、必要に応じて、容器本体の連結数を容易に増減することができる荷崩れ防止用容器を提供することを目的とする。
【課題を解決するための手段】
【０００５】
上記目的を達成するため、本第１発明の荷崩れ防止用容器は、上部が開口し、嵌め合い状態にして相互に積み重ねることができる容器本体と、容器本体同士を連結する連結部材とを備え、前記連結部材を、容器本体の対向する側壁間に掛け渡され、積み重ねる容器本体の底部を支持する棒状体と、該棒状体に設けられ、隣接する容器本体の側壁に掛合する掛止片とで構成したことを特徴とする。
【０００６】
また、同じ目的を達成するため、本第２発明の荷崩れ防止用容器は、上部が開口し、嵌め合い状態にして相互に積み重ねることができる容器本体と、容器本体同士を連結する連結部材とを備え、前記連結部材を、隣接する容器本体の各側壁を跨いで挟着される挟着体と、該挟着体に設けられ、積み重ねる容器本体の底部を支持する支持片とで構成したことを特徴とする。
【０００７】
この場合において、連結部材を容器本体に固着することができる。
【０００８】
また、連結部材を、容器本体の側壁に形成した切欠部又は孔に嵌合するとともに、該連結部材を、積み重ねる容器本体の底部に形成した切欠部又は孔に嵌合することができる。
【０００９】
また、連結部材の所定位置に溝又は孔を形成し、突起物を嵌合することができる。また、上記所定位置に突起物を予め一体化してもよい。
【００１０】
また、コンクリート廃材、土砂、鉄鋼スラグ等の重量物を容器本体に収容し、カウンタウエイトとして利用することができる。
【００１１】
また、重量物を容器本体に収容して保管することができる。
【発明の効果】
【００１２】
本第１発明の荷崩れ防止用容器によれば、上部が開口し、嵌め合い状態にして相互に積み重ねることができる容器本体と、容器本体同士を連結する連結部材とを備え、前記連結部材を、容器本体の対向する側壁間に掛け渡され、積み重ねる容器本体の底部を支持する棒状体と、該棒状体に設けられ、隣接する容器本体の側壁に掛合する掛止片とで構成することから、隣接する容器本体同士を連結するとともに、上下に位置する容器本体同士を固定することができ、これにより、容器本体に重量物を収容した状態で横方向及び高さ方向に積み重ねることができ、かつ、荷崩れを防止し、さらに、必要に応じて容器本体の連結数を安全かつ容易に増減することができる。このため、取り扱いやすく、安全性の高い荷崩れ防止用容器を提供することができる。
【００１３】
また、本第２発明の荷崩れ防止用容器によれば、上部が開口し、嵌め合い状態にして相互に積み重ねることができる容器本体と、容器本体同士を連結する連結部材とを備え、前記連結部材を、隣接する容器本体の各側壁を跨いで挟着される挟着体と、該挟着体に設けられ、積み重ねる容器本体の底部を支持する支持片とで構成することから、隣接する容器本体同士を連結するとともに、上下に位置する容器本体同士を固定することができ、これにより、容器本体に重量物を収容した状態で横方向及び高さ方向に積み重ねることができ、かつ、荷崩れを防止し、さらに、必要に応じて容器本体の連結数を安全かつ容易に増減することができる。このため、取り扱いやすく、安全性の高い荷崩れ防止用容器を提供することができる。
【００１４】
また、連結部材を容器本体に固着することにより、容器本体に連結部材の嵌脱作業をなくし、より一層安全性の高い荷崩れ防止用容器を提供することができる。
なお、工場等での使用に際しては、嵌め合い状態の移送は必要ない。
【００１５】
また、連結部材を、容器本体の側壁に形成した切欠部又は孔に嵌合するとともに、該連結部材を、積み重ねる容器本体の底部に形成した切欠部又は孔に嵌合することにより、容器本体の積み上げを容易にし、かつ安定させることができる。
【００１６】
また、連結部材の所定位置に溝又は孔を形成し、突起物を嵌合することにより、掛止片や支持片又はずれ止め部材等を容易に形成することができる。また、上記所定位置に突起物を予め一体化してもよい。
【００１７】
また、コンクリート廃材、土砂、鉄鋼スラグ等の重量物を容器本体に収容し、カウンタウエイトとして利用することにより、工事現場でカウンタウエイトを得ることができ、カウンタウエイト搬送コストを低減することができる。
【００１８】
また、重量物を容器本体に収容して保管するようにすることにより、保管容器として利用することができる。
【発明を実施するための最良の形態】
【００１９】
以下、本発明の荷崩れ防止用容器の実施の形態を図面に基づいて説明する。
【実施例１】
【００２０】
図１〜図２に、本発明の荷崩れ防止用容器の第１実施例を示す。
この荷崩れ防止用容器は、上部が開口し、図１及び図２に示すように、嵌め合い状態にして相互に積み重ねることができるように上広がりに形成した平面形状が矩形の金属、合成樹脂又はＦＲＰ製の容器本体１と、容器本体１同士を連結する連結部材２とを備えている。
すなわち、この荷崩れ防止用容器は、空の状態では、積み重ねた容器本体１の底部１２が下の容器本体１の底壁１３につくように積み重ねることができ、これにより、輸送時や保管時等にコンパクトにすることができる。
【００２１】
そして、本実施例では、前記連結部材２を、容器本体１の対向する側壁１１間に掛け渡され、積み重ねる容器本体１の底部１２を支持する棒状体２１と、該棒状体２１に設けられ、隣接する容器本体１の側壁１１に掛合する掛止片２２とで構成している。
棒状体２１は、例えば、断面が円形や多角形の金属パイプにより形成することができ、掛止片２２は、この棒状体２１の端部にフランジ状の突部を単独又は連設することにより形成することができる。
なお、棒状体２１は、３個以上の容器本体１の開口部に掛け渡すことができる長尺のもの（図示省略）を用いることもできる。
【００２２】
この荷崩れ防止用容器を使用するに当たっては、図１及び図３に示すように、容器本体１の側壁１１に形成した切欠部１１ａに掛け渡すように金属製の連結部材２を嵌合して、隣接して位置する容器本体１同士を連結するとともに、連結部材２に上部の容器本体１の底部１２に形成した切欠部１２ａを嵌合して、上下に位置する容器本体１同士を固定するようにする。
なお、側壁１１に３個以上の切欠部１１ａ、１２ａを形成することもできるが、この場合も各切欠部１１ａ、１２ａの間隔が等しくなるように形成するようにする。また、図４に示すように、切欠部１１ａ、１２ａに代えて孔１１ｂを設けることも可能である。
【００２３】
また、図５に示すように、連結部材２の所定位置に溝２３や孔２４を形成し、突起物４を嵌合することも可能であり、これにより、掛止片２２や、積み重ねる容器本体１のずれを防止するずれ止め部材を容易に形成することができる。
同図において、（ａ）は溝２３に割れワッシャー４１を嵌合した正面図、（ｂ）は割れワッシャー４１と溝２３の斜視図、（ｃ）は孔２４にピン４２を嵌合した正面図、（ｄ）は溝に係止板４３を嵌合した平面図である。
また、上記所定位置に突起物（図示省略）を予め一体化してもよい。
【００２４】
このように、この荷崩れ防止用容器は、容器本体１の対向する側壁１１に形成した切欠部１１ａに掛け渡すように連結部材２を嵌合して、隣接して位置する容器本体１同士を連結するとともに、連結部材２に上の容器本体１の底部１２に形成した切欠部１２ａを嵌合して、上下に位置する容器本体１同士を固定することによって、容器本体１に重量物を収容した状態で、横方向及び高さ方向に積み重ねることができ、かつ、荷崩れを防止することができる。
【００２５】
次に、この荷崩れ防止用容器の具体的な使用方法の一実施例について説明する。
図６は、この荷崩れ防止用容器に工事現場の重量物を収容し、圧入式の杭打ち機３のカウンタウエイトとして利用したものである。
ここで、重量物としては、特に限定されるものではないが、例えば、工事現場で容易に入手し得る土砂、コンクリート破砕物、鉄鋼スラグ（高炉スラグ、製鋼スラグ（転炉スラグ、電気炉スラグ））、石、水等を利用することができる。
なお、この実施例の圧入式の杭打ち機３は、左右のリーダー３１間に油圧式圧入装置３２を橋架して上下動可能にし、この油圧式圧入装置３２の油圧ジャッキのピストンの先端に杭Ｐの頭部を係止して把持するキャップ３３を配設したもので、支圧板Ｌ上を水平方向に移動可能となるように設置された本体プラットホーム３０上には反力用のカウンタウエイト（容器本体に重量物を収容した荷崩れ防止用容器）をバランスよく積載することができるようにされている。
【００２６】
これにより、工事現場の重量物を用いてカウンタウエイトを得ることができ、以下のような利点を享有することができる。
（１）工事の最初に、空の荷崩れ防止用容器だけを、嵌め合い状態にして相互に積み重ねて嵩を低くして搬入し、工事現場の重量物を収容して、カウンタウエイトとして利用し、工事が完了すれば、重量物を現場に戻して、荷崩れ防止用容器だけを、嵌め合い状態にして相互に積み重ねて嵩を低くして搬出することができ、カウンタウエイトの搬送コストを低減することができる。
（２）隣接して位置する容器本体１同士を連結するとともに、上下に位置する容器本体１同士を固定することによって、容器本体１に重量物を収容した状態で、横方向及び高さ方向に積み重ねることができ、かつ、荷崩れを防止でき、さらに、必要に応じて、容器本体１の連結数を１個ずつ容易に増減することができる。このため、取り扱いやすく、安全性の高いカウンタウエイトとなり、カウンタウエイトのずれから施工機が傾き杭の鉛直精度が悪くなるという問題も生じない。
なお、従来、カウンタウエイトは、既製品や現場において型枠にコンクリートを流し込んで製作されていたが、前者の場合は、搬送コストが高くなり、一方、後者の場合は、工事完了後粉砕し産業廃棄物として処理するため処理及び輸送コストが高くなるという問題があった。
【００２７】
次に、図７〜１０を参照して、本発明荷崩れ防止用容器の第２実施例を説明する。
この荷崩れ防止用容器は、上部が開口し、図１０に示すように、嵌め合い状態にして相互に積み重ねることができる容器本体１と、容器本体１同士を連結する連結部材５とを備え、前記連結部材５を、隣接する容器本体１の各側壁１１を跨いで挟着される挟着体５１と、該挟着体５１に設けられ、積み重ねる容器本体１の底部１２を支持する支持片５２とで構成している。
挟着体５１は、例えば、金属や合成樹脂によって断面Ｖ字状に形成することができ、支持片５２は、この挟着体５１の外面から突出するように該挟着体５１と一体又は別体に形成することができる。
【００２８】
この場合、図８に示すように、連結部材５を、容器本体１の側壁１１に形成した切欠部１１ａ又は孔に嵌合するとともに、該連結部材５を、積み重ねる容器本体１の底部１２に形成した切欠部１２ａ又は孔（図示省略）に嵌合することも可能であり、これにより、容器本体１の積み上げを容易にし、かつ安定させることができる。
【００２９】
また、図９に示すように、連結部材５の支持片５２に溝又は孔５３を形成し、突起物４を嵌合することも可能であり、これにより、積み重ねる容器本体１のずれを防止するずれ止め部材を容易に形成することができる。
【００３０】
かくして、本第２実施例の荷崩れ防止用容器は、上部が開口し、嵌め合い状態にして相互に積み重ねることができる容器本体１と、容器本体１同士を連結する連結部材５とを備え、前記連結部材５を、隣接する容器本体１の各側壁を跨いで挟着される挟着体５１と、該挟着体５１に設けられ、積み重ねる容器本体１の底部１２を支持する支持片５２とで構成することから、隣接する容器本体同士を連結するとともに、上下に位置する容器本体同士を固定することができ、これにより、容器本体１に重量物を収容した状態で横方向及び高さ方向に積み重ねることができ、かつ、荷崩れを防止し、さらに、必要に応じて容器本体１の連結数を安全かつ容易に増減することができる。このため、取り扱いやすく、安全性の高い荷崩れ防止用容器を提供することができる。
【００３１】
ところで、上記各実施例の荷崩れ防止用容器においては、容器本体１と、連結部材２、５とを、別体で構成したが、図１１に示す本第２実施例の荷崩れ防止用容器の変形例のように、連結部材５（連結部材２の場合も同様）を容器本体１に溶接、ボルト接合等によって固着するようにすることができる。
これにより、容器本体１に連結部材５の嵌脱作業をなくし（連結部材５を固着した容器本体１と、固着していない容器本体１を併用し、固着していない容器本体１に、連結部材５を固着した容器本体１を隣接して設置する際に、併せて、容器本体１同士を、一方の容器本体１に固着した連結部材５により連結する。）、より一層安全性の高い荷崩れ防止用容器を提供することができる。
なお、工場等での使用に際しては、嵌め合い状態の移送は必要ない。
【００３２】
以上、本発明の荷崩れ防止用容器について、その実施例に基づいて説明したが、本発明は上記実施例に記載した構成に限定されるものではなく、その趣旨を逸脱しない範囲において適宜その構成を変更することができる。
【産業上の利用可能性】
【００３３】
本発明の荷崩れ防止用容器は、横方向及び高さ方向に積み重ねることができ、かつ、荷崩れを防止でき、さらに、必要に応じて、容器本体の連結数を容易に増減することができるという特性を有していることから、工事現場の重量物を用いてカウンタウエイトとしての用途や重量物を容器本体に収容して保管する保管容器としての用途等に好適に用いることができる。
【図面の簡単な説明】
【００３４】
【図１】本発明の第１実施例の荷崩れ防止用容器を並べた状態を示す斜視図である。
【図２】同荷崩れ防止用容器を嵌め合い状態にして相互に積み重ねた状態を示す説明図である。
【図３】同荷崩れ防止用容器を上下に積み重ねた状態を示す説明図である。
【図４】側壁に孔を形成した容器本体を示す斜視図である。
【図５】連結部材に突起物を嵌合した状態を示し、（ａ）は溝に割れワッシャーを嵌合した正面図、（ｂ）は割れワッシャーと溝の斜視図、（ｃ）は孔にピンを嵌合した正面図、（ｄ）は溝に係止板を嵌合した平面図である。
【図６】同荷崩れ防止用容器に工事現場の重量物を収容し、圧入式の杭打ち機のカウンタウエイトとして利用した状態を示す説明図である。
【図７】本発明の第２実施例の荷崩れ防止用容器を積み重ねた状態を示す断面図である。
【図８】同荷崩れ防止用容器の斜視図である。
【図９】連結部材にピンを嵌合した状態を示す断面図である。
【図１０】容器本体を嵌め合い状態にして積み重ねた状態を示す断面図である。
【図１１】本発明の第２実施例の荷崩れ防止用容器の変形例を示す断面図である。
【符号の説明】
【００３５】
１    容器本体
１１  側壁
１１ａ  切欠部
１１ｂ  孔
１２  底部
１２ａ  切欠部
１３  底壁
２    連結部材
２１  棒状体
２２  掛止片
２３  溝
２４  孔
３    杭打ち機
４    突起物
４１  割れワッシャー
４２  ピン
４３  係止板
５    連結部材
５１  挟着体
５２  支持片
５３  孔
【図１】
2005212819.tif 000003
【図２】
2005212819.tif 000004
【図３】
2005212819.tif 000005
【図４】
2005212819.tif 000006
【図５】
2005212819.tif 000007
【図６】
2005212819.tif 000008
【図７】
2005212819.tif 000009
【図８】
2005212819.tif 000010
【図９】
2005212819.tif 000011
【図１０】
2005212819.tif 000012
【図１１】
2005212819.tif 000013